(57)【要約】【課題】洗濯機により洗濯する洗濯物を、該洗濯物の洗濯条件に合わせて分別収納し、表示体によりそれぞれの網袋の中身を確認することができて、網袋内の洗濯物を干す際に、間違うことなくハンガーへ取り付けることができる洗濯物収容用網袋を提供する。【解決手段】通水性と通気性を有する網状袋本体１の一側部に、洗濯物の入れ出しを行う開口部２を設け、この開口部２に該開口部２の閉塞と開放を行う開閉手段４を設けて、網状袋本体１の表面適所に表示体４を設ける。【選択図】    図１
0003105259.tif 000002
【実用新案登録請求の範囲】
【請求項１】
通水性と通気性を有する網状袋本体と、この網状袋本体の一側部に設けた洗濯物の入れ出しを行う開口部と、この開口部に設けて該開口部の閉塞と開放を行う開閉手段と、前記網状袋本体の表面における適所に設けた表示体とを備えさせたことを特徴とする洗濯物収容用網袋。
【請求項２】
通水性と通気性を有する網状袋本体と、この網状袋本体の一側部に設けた洗濯物の入れ出しを行う開口部と、この開口部に設けて該開口部の閉塞と開放を行う開閉手段と、前記網状袋本体の表面における適所に設けた表示体とを備えさせてなり、
前記表示体は、浮力を有する素材により成形されていて、網状袋本体の表面へ覆い部材により固着されたことを特徴とする洗濯物収容用網袋。
【請求項３】
通水性と通気性を有する網状袋本体と、この網状袋本体の一側部に設けた洗濯物の入れ出しを行う開口部と、この開口部に設けて該開口部の閉塞と開放を行う開閉手段と、前記網状袋本体の表面における適所に設けた表示体とを備えさせてなり、
表示体は、柔軟性を有する素材により成形されていて、可視可能に着色されたことを特徴とする洗濯物収容用網袋。
【考案の詳細な説明】
【技術分野】
【０００１】
本考案は、洗濯機により洗濯する洗濯物を、該洗濯物の洗濯条件に合わせて分別収納することができる洗濯物収容用網袋に関する。
【背景技術】
【０００２】
従来、洗濯機により洗濯する洗濯物のうち、前記洗濯機によるダメージを受けやすいストッキングや下着類は、他の洗濯物と区別して収納する網袋が知られている（例えば、特許文献１参照。）。
【０００３】
【特許文献１】特開２０００−３２５６９１号公報
【０００４】
このものは、袋状布片により形成した袋状ネット内に複数の洗濯物収容部を設けたもので、この袋状ネットに幾種類かの洗濯物を分けて収容することができるものであるが、前記幾種類かの洗濯物はこの袋状ネット内にまとめられていて、同時に洗濯されるので、繊細な洗濯物は過剰洗滌となって該洗濯物の損傷を早めるものであった。また、前記繊細な洗濯物に合わせて洗濯時間を調節すると、他の収容洗濯物の洗い残しを生ずるものであった。
【考案の開示】
【考案が解決しようとする課題】
【０００５】
本考案は、前記した問題点を解決するためになされたもので、通水性と通気性を有する網状袋本体の一側部に、洗濯物の入れ出しを行う開口部を設け、この開口部に該開口部の閉塞と開放を行う開閉手段を設けて、網状袋本体の表面適所に表示体を設けることにより、洗濯機により洗濯する洗濯物を、該洗濯物の洗濯条件に合わせて分別収納し、表示体によりそれぞれの網袋の中身を確認することができる洗濯物収容用網袋を提供することを目的としている。
【課題を解決するための手段】
【０００６】
前記した目的を達成するための本考案の手段は、
通水性と通気性を有する網状袋本体と、この網状袋本体の一側部に設けた洗濯物の入れ出しを行う開口部と、この開口部に設けて該開口部の閉塞と開放を行う開閉手段と、前記網状袋本体の表面における適所に設けた表示体とを備えさせた洗濯物収容用網袋の構成にある。
【０００７】
通水性と通気性を有する網状袋本体と、この網状袋本体の一側部に設けた洗濯物の入れ出しを行う開口部と、この開口部に設けて該開口部の閉塞と開放を行う開閉手段と、前記網状袋本体の表面における適所に設けた表示体とを備えさせてなり、
前記表示体は、浮力を有する素材により成形されていて、網状袋本体の表面へ覆い部材により固着された洗濯物収容用網袋の構成にある。
【０００８】
通水性と通気性を有する網状袋本体と、この網状袋本体の一側部に設けた洗濯物の入れ出しを行う開口部と、この開口部に設けて該開口部の閉塞と開放を行う開閉手段と、前記網状袋本体の表面における適所に設けた表示体とを備えさせてなり、
表示体は、柔軟性を有する素材により成形されていて、可視可能に着色された洗濯物収容用網袋の構成にある。
【考案の効果】
【０００９】
本考案は、洗濯機により洗濯する洗濯物を、該洗濯物の洗濯条件に合わせて分別収納し、表面に設けた表示体によりそれぞれの網袋の中身を視覚により確認することができて、網袋内の洗濯物を干す際に、洗濯機内における取り出しが、あるいは取り出した後の多数の洗濯物収容用網袋からの判別が確実に行え、洗濯物を間違うことなくハンガーへ取り付けることができる。
【考案を実施するための最良の形態】
【００１０】
次に、本考案に関する洗濯物収容用網袋の実施の一例を図面に基づいて説明する。
図１〜図３においてＡは、洗濯機により洗濯物を洗う際に、繊細な洗濯物を別に収容する洗濯物収容用網袋で、網状袋本体１と、開口部２と、開閉手段３と、表示体４とにより基本的に構成される。
【００１１】
前記した網状袋本体１は、合成樹脂繊維により成形された細かいメッシュとなる網状の素材により、縫製などによって有底の袋状に形成してあって、前記網目において通水性と通気性を有することで、該網状袋本体１の内部と外部とが水と空気との連通が自由に行える。
なお、この網状袋本体１は、その外形を任意に形成させることができるもので、例えば、図１に示すように、縦長の長方形状に形成したり、図３（ａ）に示すように、底部が箱状の立体的に形成したり、図３（ｂ）に示すように、円形状に形成したり、図３（ｃ）に示すように、広がったとき、長方体状となるように形成したりするものである。
【００１２】
前記した開口部２は、網状袋本体１の一側部に設けた洗濯物の入れ出しが行えるように、該洗濯物の大きさ以上に開口させたもので、網状袋本体１の成形時に設けられる。
【００１３】
前記した開閉手段３は、開口部２に設けて該開口部２の閉塞と開放を選択的に行うもので、慣用のファスナーが用いられるものであるが、他の手段として、ホックや面状ファスナー等の洗濯物等を損傷させない適宜なものが選定される。
【００１４】
前記した表示体４は、網状袋本体１の表面適所に設けて、この網状袋本体１内に収容した洗濯物が何であるかを視覚により区別する識別標識であって、この表示体４は、浮力を有する（洗濯水槽内において上部に浮かせる能力を有する）素材、例えば、発泡ウレタンやスポンジ等の柔らかい洗濯物の外形状などに馴染んで、該洗濯物を傷つけない柔軟性を有し、しかも、洗剤に反応しない、あるいは、色が出ない素材により、所定の厚さを有する板状や立体形状等に成形されていて、網状袋本体１の表面へ覆い部材５により固着される。
【００１５】
前記した覆い部材５は、網状袋本体１と同効質な素材を用いることが好ましく、かつ、表示体４の表面を覆ったとき、該表示体４が視覚により確認できる可透性を有するものである。
【００１６】
更に、この表示体４は、視覚により確認できる着色がなされていて、複数の洗濯物収容用網袋Ａごとに施したその色を変えることにより、複数の洗濯物収容用網袋Ａを一度に用いて洗濯を行ったとき、各洗濯物収容用網袋Ａの中身がこの色分けされた表示体４によって、識別することができる。
また、洗濯物の識別に際しては、網状袋本体１内に収容する洗濯物の形態に合わせて、該洗濯物の外形状に切り取った形状とすることができるもので、例えば、図１に示すように、Ｔシャツ状のシャツ形態や、図３（ａ）に示すように、ストッキング形態や、図３（ｂ）に示すように、肌着形態や、図３（ｃ）に示すように、ブラジャー形態等に形成されることで、視覚により直接的に内容物である洗濯物の種類が分かるものである。
【００１７】
この表示体４の取り付けにあっては、網状袋本体１の側面平坦部における略中央部に設けることで、水槽である洗濯機の洗濯槽上部にバランスよく浮かぶことができ、水を張られた状態時に該表示体４が最も目に付きやすい状態で浮遊しているので、洗濯物同士が絡んだ状態であっても、希望する洗濯物を収容した洗濯物収容用網袋Ａを容易に見つけやすい。また、浮力を有するため、この表示体４が他の洗濯物と比べて水面上に位置しやすいので、より、洗濯物収容用網袋Ａを容易に見つけやすい。
【００１８】
したがって、前記のように構成される本考案実施例の洗濯物収容用網袋Ａは、以下に述べる作用を奏する。
洗濯機の洗浄槽へ直接投入したとき他の洗濯物と干渉することで、洗滌中に損傷等を起こしやすい繊細な洗濯物は、洗濯物収容用網袋Ａ内に収容されて前記洗濯機の洗浄槽へ入れ、他の洗濯物と一緒に洗濯される。
【００１９】
すなわち、例えば、洗濯物がシャツであれば、図１に示すようなシャツ形態の型どりがなされた表示体４を取り付けた洗濯物収容用網袋Ａを選択し、洗濯物がストッキングであれば、図３（ａ）に示すようなストッキング形態の型どりがなされた表示体４を取り付けた洗濯物収容用網袋Ａを選択し、洗濯物がランジェリーなどの肌着であれば、図３（ｂ）に示すような肌着形態の型どりがなされた表示体４を取り付けた洗濯物収容用網袋Ａを選択し、洗濯物がブラジャーであれば、図３（ｃ）に示すようなブラジャー形態の型どりがなされた表示体４を取り付けた洗濯物収容用網袋Ａを選択して、それぞれに網状袋本体１内へその開口部２から挿入し、開閉手段３により開口部２を閉塞して洗濯機の洗浄槽へ入れる。
【００２０】
このとき、洗濯物の種類によっては、必要以上の洗濯時間を費やすと、その洗濯物を傷めるおそれがあるときは、その洗濯ものの種類毎に洗濯物収容用網袋Ａを変えて収容しておき、適宜、洗浄槽での洗濯時間を調整することができ、当該洗濯物は、網状袋本体１に設けられた表示体４の形態や色を識別することで確認ができる。
【００２１】
この状態で、洗濯機を作動させると、洗浄槽内の洗濯物は、所定の洗い、すすぎ、脱水などの工程を経てその洗濯がなされる。
そして、洗濯物の取り出しにあっては、網状袋本体１内に収容されている洗濯物が、洗濯物収容用網袋Ａに設けられた表示体４の形態を見ると、その表示体４が、図１に示すようなシャツ形態であればシャツであり、図３（ａ）に示すようなストッキング形態であればストッキングであり、図３（ｂ）に示すような肌着形態であれば肌着であり、図３（ｃ）に示すようなブラジャー形態であればブラジャーであることが瞬時に識別することができる。
【００２２】
したがって、これらの洗濯物を干す際は、区別した表示体４を見ながら、ハンガーへの取付位置などを決めることができ、例えば、太陽の直射日光に弱い洗濯物はハンガーのなるべく内側に位置するように、吊したり、あるいは、この洗濯物が最後となった場合であっても、ハンガーの吊持スペースをあらかじめ用意することができて効率の良いハンガーへの取り付けができる。
【００２３】
また、同種類の洗濯物であって、異なる複数の人の洗濯物の収納にあっては、例えば、シャツ系であれば、図１に示すようなシャツ形態の表示体４であって、その表示体４の異なる色のものを選択し、それぞれの人の洗濯物に色の異なる表示体４，４・・の洗濯物収容用網袋Ａ，Ａ・・に区別して前記洗濯物を収容することで、これらの洗濯物を干す際に、持ち主が簡単に確認できて、また、ハンガーへの吊り下げにあっても、区別して干すことができる。
【００２４】
特に、前記した異なる形態や色によって差別される表示体４により、非使用時の収納時においても、複数の洗濯物収容用網袋Ａ，Ａ・・は、その表示体４，４・・を見るだけで、簡単にどの洗濯物を収容するとき使用するものであるのかを識別することができる。
【図面の簡単な説明】
【００２５】
【図１】本考案に関する洗濯物収容用網袋の一実施例を示す正面図である。
【図２】図１における洗濯物収容用網袋の縦断側面図である。
【図３】図１における洗濯物収容用網袋の表示体の他の例をそれぞれ示す正面図である。
【符号の説明】
【００２６】
Ａ…洗濯物収容用網袋．１…網状袋本体．２…開口部．３…開閉手段．４…表示体
【図１】
0003105259.tif 000003
【図２】
0003105259.tif 000004
【図３】
0003105259.tif 000005